(57)【要約】【課題】  異なる商用電源のいずれにも対応できて便利な切替式水圧マッサージ機を提供することにある。【解決手段】  水槽（４）と、水槽（４）の上面の開口部（１１）を覆う膜（５）と、水槽（４）内に有って水を噴射させるノズル（６）と、ノズル（６）に加圧水を供給するポンプ（１７）とを設け、ノズル（６）から噴射する水で膜（５）を介して人体をマッサージする水圧マッサージ機（２）において、三相２００Ｖと単相２００Ｖのいずれにも接続可能であり使用可能であり、該水圧マッサージ機（２）を三相２００Ｖ用するか単相２００Ｖ用とするかを切り替える切替部（３）が設けられ、該切替部（３）は相切替スイッチ（３６）を有し、相切替スイッチ（３６）の手動操作で商用電源（３１）の異なる相に対応できる切替式水圧マッサージ機である。【選択図】図１
2007313153.tif 000002
【特許請求の範囲】
【請求項１】
水圧マッサージ機（２）において、三相２００Ｖと単相２００Ｖのいずれにも接続可能であり使用可能であることを特徴とする切替式水圧マッサージ機。
【請求項２】
水槽（４）と、水槽（４）の上面の開口部（１１）を覆う膜（５）と、水槽（４）内に有って水を噴射させるノズル（６）と、ノズル（６）に加圧水を供給するポンプ（１７）とを設け、ノズル（６）から噴射する水で膜（５）を介して人体をマッサージする水圧マッサージ機（２）において、該水圧マッサージ機（２）を三相２００Ｖ用するか単相２００Ｖ用とするかを切り替える切替部（３）が設けられ、
該切替部（３）は相切替スイッチ（３６）を有し、相切替スイッチ（３６）の手動操作で商用電源（３１）の異なる相に対応することを特徴とする請求項１記載の切替式水圧マッサージ機。
【請求項３】
水槽（４）と、水槽（４）の上面の開口部（１１）を覆う膜（５）と、水槽（４）内に有って水を噴射させるノズル（６）と、ノズル（６）に加圧水を供給するポンプ（１７）とを設け、ノズル（６）から噴射する水で膜（５）を介して人体をマッサージする水圧マッサージ機（２）において、該水圧マッサージ機（２）を三相２００Ｖ用するか単相２００Ｖ用とするかを切り替える切替部（３）が設けられ、
該切替部（３）は、受け入れる商用電源（３１）が単相２００Ｖであるか三相２００Ｖであるかを自動的に判別する相判別回路（４１）を有し、相判別回路（４１）の判別によって自動的に商用電源（３１）の異なる相に対応することを特徴とする請求項１記載の切替式水圧マッサージ機。
【請求項４】
単相２００Ｖと三相２００Ｖの内どちらで運転しているかを表示する相状態表示器（３５）が設けられることを特徴とする請求項１乃至３のいずれかに記載切替式水圧マッサージ機。
【請求項５】
水圧マッサージ機（２）に係る電気回路は、単相２００Ｖ用と三相２００Ｖ用とを切り替える切替部（３）と、インバーター（３０）と、単相２００Ｖ用と三相２００Ｖ用を間違えて切り替えた時に作動中止信号を出すシステム制御部（３２）と、ポンプ（１７）とで構成され、
相切替スイッチ（３６）を、単相２００Ｖ側と三相２００Ｖ側を間違えて投入しても、システム制御部（３２）の停止作用によって、誤動作は防がれ、継続的に正常に作動することを特徴とする請求項２乃至３のいずれかに記載の切替式水圧マッサージ機。
【発明の詳細な説明】
【技術分野】
【０００１】
本発明は、臥姿勢の人体の頚部、体幹及び下肢を、噴流水圧によりマッサージする水圧マッサージ機に関する。
【背景技術】
【０００２】
従来の技術として、特開２００４−８９５４１号公報に、単相１００Ｖを三相２００Ｖに変換するインバーター３０を有し、単相１００Ｖ電源で水圧マッサージ機を作動できる構成が開示されているが、異なる商用電源のいずれにも対応できる水圧マッサージ機は開示されていない。
【特許文献１】特開２００４−８９５４１号公報
【発明の開示】
【発明が解決しようとする課題】
【０００３】
解決しようとする課題は、従来水圧マッサージ機が異なる商用電源には対応できない点であり、単相、三相両方に対応できる水圧マッサージ機２は無かった。
【課題を解決するための手段】
【０００４】
本発明の目的は、上記課題を解決したものであり、異なる商用電源のいずれにも対応できて便利な切替式水圧マッサージ機を提供することにある。
【０００５】
即ち本発明は、水圧マッサージ機（２）において、三相２００Ｖと単相２００Ｖのいずれにも接続可能であり使用可能であることを特徴とする切替式水圧マッサージ機である。
又、水槽（４）と、水槽（４）の上面の開口部（１１）を覆う膜（５）と、水槽（４）内に有って水を噴射させるノズル（６）と、ノズル（６）に加圧水を供給するポンプ（１７）とを設け、ノズル（６）から噴射する水で膜（５）を介して人体をマッサージする水圧マッサージ機（２）において、該水圧マッサージ機（２）を三相２００Ｖ用するか単相２００Ｖ用とするかを切り替える切替部（３）が設けられ、該切替部（３）は相切替スイッチ（３６）を有し、相切替スイッチ（３６）の手動操作で商用電源（３１）の異なる相に対応する。
更に、水槽（４）と、水槽（４）の上面の開口部（１１）を覆う膜（５）と、水槽（４）内に有って水を噴射させるノズル（６）と、ノズル（６）に加圧水を供給するポンプ（１７）とを設け、ノズル（６）から噴射する水で膜（５）を介して人体をマッサージする水圧マッサージ機（２）において、該水圧マッサージ機（２）を三相２００Ｖ用するか単相２００Ｖ用とするかを切り替える切替部（３）が設けられ、該切替部（３）は、受け入れる商用電源（３１）が単相２００Ｖであるか三相２００Ｖであるかを自動的に判別する相判別回路（４１）を有し、相判別回路（４１）の判別によって自動的に商用電源（３１）の異なる相に対応する。
更に又、単相２００Ｖと三相２００Ｖの内どちらで運転しているかを表示する相状態表示器（３５）が設けられる。
又、水圧マッサージ機（２）に係る電気回路は、単相２００Ｖ用と三相２００Ｖ用とを切り替える切替部（３）と、インバーター（３０）と、単相２００Ｖ用と三相２００Ｖ用を間違えて切り替えた時に作動中止信号を出すシステム制御部（３２）と、ポンプ（１７）とで構成され、相切替スイッチ（３６）を、単相２００Ｖ側と三相２００Ｖ側を間違えて投入しても、システム制御部（３２）の停止作用によって、誤動作は防がれ、継続的に正常に作動する。
【発明の効果】
【０００６】
本発明は、三相２００Ｖ、単相２００Ｖのいずれにも接続可能であり使用可能な切替式水圧マッサージ機１であるから、従来は、単相仕様、三相仕様の二機種ラインナップする必要があったが、本発明は、一機種に纏めることで、生産ロットが大きくなり、安価に製品を供給可能となり、好都合である。
又、切替式水圧マッサージ機１購入者は、引越しや商用電源契約が変更になった時も、水圧マッサージ機を相に合ったものに買替えるという必要がなく、好都合である。
【０００７】
本発明は、三相２００Ｖ用と単相２００Ｖ用とを切り替える切替部３が設けられ、切替部３は相切替スイッチ３６であり、手動で相切替スイッチ３６を操作し商用電源３１の異なる相に対応するものであるから、施設の商用電源３１が単相２００Ｖ、三相２００Ｖのいずれであっても使えるので便利であり、好都合である。
特に、切替式水圧マッサージ機１を引っ越し移転した時に、施設の電源が異なる相に変わっても、相切替スイッチ３６の操作で対応でき、便利であり、好都合である。
【０００８】
本発明は、三相２００Ｖ用と単相２００Ｖ用とを切り替える切替部３が設けられ、切替部３は、接続した商用電源３１が単相２００Vであるか三相２００Vであるかを自動的に判別する相判別回路４１を有するから、相判別回路４１が判別し且つ商用電源３１の仕様に合わせて自動的に切替部３が作動するので、切替式水圧マッサージ機１は自動で常に適切に運転され便利であり、好都合である。
【０００９】
本発明は、水圧マッサージ機２が単相２００Ｖと三相２００Ｖの内どちらで運転しているかを表示する相状態表示器３５が設けられるから、単相２００Ｖ、三相２００Ｖの内どちらで運転しているかが相状態表示器３５に表示され認識できるので、保守点検時等には便利であり、好都合である。
【００１０】
本発明に係る水圧マッサージ機２の電気回路は、三相２００Ｖ用と単相２００Ｖ用とを切り替える切替部３と、インバーター３０と、単相と三相を間違えて切り替えた時に作動中止信号を出すシステム制御部３２と、ポンプ１７とで構成されるから、相切替スイッチ３６の操作を、単相２００Ｖと三相２００Ｖを間違えても、水圧マッサージ機２の作動を停止し、故障や誤動作を防ぎ、切替部３の再操作により、継続的に正常に動作でき、好都合である。
【実施例１】
【００１１】
図１乃至３に本発明の実施例１を示している。
実施例１に係る切替式水圧マッサージ機１は、三相２００Ｖと単相２００Ｖのいずれにも接続可能であり使用可能である。実施例１は、水圧マッサージ機２に、三相２００Ｖ用と単相２００Ｖ用とを切り替える切替部３が設けられたものである。
【００１２】
図２に示す実施例１は、水を満たす水槽４と、水槽４の上面の開口部１１を覆う膜５と、水槽４内に有って水を噴射させるノズル６と、水槽４内にあって、ノズル６を支持し、水槽４の長手方向（＝臥姿勢人体の身長方向）に移動可能に設けられるノズル機構７と、ノズル機構７を水槽４の長手方向に移動させる移動機構８と、ノズル機構７上に設けられるノズル６を水平面に回動させる回動機構９と、水槽４内の水を、循環させノズル６に加圧付与する循環ライン１０とからなる。
ノズル６から噴射する水で膜５を介して人体をマッサージする。
【００１３】
前記水槽４の上部の開口部１１には人体を乗せる膜５が張設される。
前記ノズル６は、膜５に向かって水を噴出するものであって、水槽４に乗る仰臥人体の下方に位置して設けられる。
【００１４】
前記ノズル機構７は、下部に車輪１２が設けられた台車１３と、該台車１３に載設され水平面で回動する回動体１４とからなる。
【００１５】
前記回動体１４の外周には平歯車でなる従動歯車（＝図示省略）が形成される。回動体１４の内部には空洞室（図示省略）が設けられる。
回動体１４の回動中心から偏芯した位置に、膜５に向かって水を噴出する前記ノズル６が設けられる。
【００１６】
回動体１４は、台車１３に立設される縦軸（図示省略）に回動可能に載設される。前記縦軸の芯部には水路（図示省略）が形成されている。
前記縦軸の頂部に臨む前記水路は、回動体１４内の空洞室（図示省略）に連通し、該空洞室を経由してノズル６に繋がっている。
【００１７】
前記縦軸の下部の取入口２９には、循環ライン１０の出水口１５に繋がるホース１６が接続され、前記縦軸内の前記水路を経由してノズル６に水が至る。
【００１８】
水槽４の前・後壁１９・２０に渡して回動用軸２１が取着され、該回動用軸２１の軸方向にスライド可能にウォームギア２２が軸着される。該ウオームギア２２と前記従動歯車が噛合する。回動用軸２１には、後壁２０外において、回動用モータ２３が連結される。
回動用軸２１の回動に伴い前記従動歯車と共に回動体１４の上面に設けられたノズル６が回動する。
【００１９】
上述の構成では、前記従動歯車をノズル６より下位に設ける。前記従動歯車、ウォームギア２２及び回動用軸２１等からなる回動機構９は、該回動機構９に膜５が接触しないように、膜５より低位置に取り付けられる。
【００２０】
水槽４の前・後壁１９・２０に渡ってネジシャフトでなる移動用軸２５が取着される。移動用軸２５に台車１３の雌ネジ２６が螺着される。移動用軸２５には、後壁２０外において、移動用モータ２７が連結される。
移動用軸２５の回動に伴い前記台車１３が移動し、台車１３の上に設けられたノズル６が移動する。
【００２１】
循環ライン１０は、水槽４の水を三相のポンプ１７で加圧しノズル６に供給するものである。即ち、循環ライン１０は、底壁２４の取水口２８から底壁２４の出水口１５へ向かう配管４２と、該配管４２途中にあって水槽４の水を吸水し加圧するポンプ１７と、出水口１５と台車１３の取入口２９の間を連通する可撓な前記ホース１６とからなる。
ポンプ１７の電源にはインバーター３０の出力の三相２００Ｖが接続される。
【００２２】
図２に示す電気的構成のブロック図を説明する。
ブロック図は、商用電源３１に接続され実施例機器を単相２００Ｖ用とするか三相２００Ｖ用とするかを切り替える切替部３と、変換機能を有するものであって、切替部３の出力を得て三相２００Ｖを出力するインバーター３０と、インバーター３０の出力を得て駆動し水槽４内の水を加圧する三相のポンプ１７と、切替部３からの出力信号及び操作部３３の出力信号を得てインバーター３０を制御するシステム制御部３２と、操作者が実施例機器の開始・停止等の指示をインプットする操作部３３と、水槽４内に設けられ水の温度を計測する温度検出器３４と、温度検出器３４の出力信号を得て温度を表示する温度表示器４３と、単相２００Ｖと三相２００Ｖの内どちらで運転しているかを表示する相状態表示器３５とからなる。
【００２３】
又、前記システム制御部３２は、切替部３の出力を得て単相２００Ｖと三相２００Ｖを間違えて切り替えた時に作動中止信号を出すものである。
【００２４】
切替部３は、相切替スイッチ３６と、相切替スイッチ３６の出力を得る相切替回路３７とを有する。
相切替スイッチ３６は、マッサージ機２を、単相２００Ｖ用とするか、三相２００Ｖ用とするかを決定しその指示を出すスイッチであり、手動で切り替えるものである。
【００２５】
相切替回路３７は、相切替スイッチ３６の出力信号を得て、マッサージ機２を単相２００Ｖ用にするか三相２００Ｖ用にするかを切り替える。
単相２００Ｖと三相２００Ｖを間違えて施設に接続しても、相切替回路３７が切り替わることによって正規状態に回復する。
切替部３の出力信号の中には、単相２００Ｖ又は三相２００Ｖの電力と、相状態に係る信号の２つが含まれる。
【００２６】
システム制御部３２は、切替部３からの相状態に係る出力信号と、操作部３３からの開始・停止に係る出力信号との２つの出力信号を得る。
システム制御部３２は、単相２００Ｖ用と三相２００Ｖ用とを間違えて相切替スイッチ３６を逆に切り替えた時に、作動中止信号を出す。
尚、図１中、３８は操作パネル、３９は表示器、図３中、１８は吐出口である。
【００２７】
実施例１を使用する際は、水槽４の上部の開口部１１に張設した膜５に人体を乗せ、該膜５で人体を支持する。
ポンプ１７を駆動させ、該ポンプ１７で水槽４の水を吸入し加圧し、ノズル６へ付与する。
水槽４内に設けられるノズル６は、膜５に向かって水を噴出し、該膜５を介して、人体に噴流水の衝突刺激によるマッサージを施す。
【００２８】
移動機構８によって台車１３は前後方向に往復移動する。移動用軸２５を回動させ、ノズル６を水槽４の長手及方向に移動させる。
回動用軸２１を回動させると、前記従動歯車が回動し、該従動歯車に取着された回動体１４及びノズル６が回動する。
【００２９】
移動用軸２５及び回動用軸２１を同時に回動させると、ノズル６が水槽４の長手方向及び短手方向に移動する。
【００３０】
切替式水圧マッサージ機１の電源には単相２００Ｖ又は三相２００Ｖを使用する。施設の三相２００Ｖと単相２００Ｖのいずれにも接続可能であり使用可能である。
操作者は、商用電源３１の相に対応して相切替スイッチ３６を切り替える。商用電源３１が単相２００Ｖの時は、相切替スイッチ３６を単相２００Ｖ側へ投入する。
【００３１】
相切替回路３７は、商用電源３１の単相２００Ｖを受電し、実施例１を単相２００Ｖ用に切り替える。相切替回路３７は受電した単相２００Ｖ電力と、商用電源３１が単相２００Ｖであるとの認識信号をインバーター３０に与える。
【００３２】
システム制御部３２は、相切替回路３７から出力された信号と、操作部３３からのスタート指示信号を得る。システム制御部３２は、インバーター３０を作動させる。操作者が、相切替スイッチ３６を間違えて三相２００Ｖ側へ投入していた場合は、システム制御部３２はインバーター３０へ作動中止信号を与える。
インバーター３０は、単相２００Ｖを三相２００Ｖに変換する。
ポンプ１７は、インバーター３０から三相２００Ｖを得て駆動する。
相状態表示器３５は、単相２００Ｖと三相２００Ｖの内どちらの相で切替式水圧マッサージ機１が運転しているかを表示する。
【００３３】
商用電源３１が三相２００Ｖの時は、相切替スイッチ３６を三相２００Ｖ側へ投入する。
相切替回路３７は、商用電源３１の三相２００Ｖを受電し、三相２００Ｖ電力と、電源が三相２００Ｖであるとの認識信号とをインバーター３０に与える。
システム制御部３２は、相切替回路３７から出力された信号と、操作部３３からのスタート指示信号を得る。システム制御部３２はインバーター３０を作動させる。
【００３４】
相切替スイッチ３６を間違えて単相２００Ｖ側へ投入していた場合は、システム制御部３２はインバーター３０へ作動中止信号を与える。
インバーター３０は、商用電源３１の三相２００Ｖを得て、所定に加工した三相２００Ｖを出力する。
ポンプ１７は、インバーター３０から三相２００Ｖを得て駆動する。ポンプ１７は、加圧水をノズル６へ与える。
【００３５】
上記作動状況下で患者は、身体の所望の位置に水圧によるマッサージを受ける。又、マッサージ刺激を受ける部位を身長方向及び肩幅方向に変えながらマッサージを受ける。
【００３６】
インバーター３０は、入力された単相２００Ｖ又は三相２００Ｖを、一旦直流に変換し、その直流を、周波数３０Ｈｚ乃至６０Ｈｚの三相２００Ｖに変換し、変換した三相交流電力をもってポンプ１７を制御する。
インバーター３０は、周波数を３０Ｈｚ乃至６０Ｈｚの間でリニアに変更可能である。周波数を変更調節をもってポンプ１７の回転数を制御する。
【００３７】
ノズル６は、回転数の変更制御されたポンプ１７から、圧力の異なる加圧水を得、噴射圧の異なる水を噴射する。噴射圧の漸増漸減、漸増急減、断続等による変動を生ぜしめ、新鮮で好適なマッサージを患者に付与する。
【実施例２】
【００３８】
図４に示す実施例２は、実施例１に係る相切替スイッチ３６及び相切替回路３７を、切替結線部４０に代えたものである。
実施例２では、切替結線部４０が有する３個の端子（＝商用電源端子４４、三相受入端子４５及び単相受入端子４６）を所定に結線片４７で繋ぐ。
商用電源端子４４に三相２００Ｖが来ている場合は、商用電源端子４４と三相受入端子４５を結線片４７で繋ぐ。商用電源端子４４に単相２００Ｖが来ている場合は、商用電源端子４４と単相受入端子４６を結線片４７で繋ぐ。
上記接続作業により、商用電源３１が単相２００Ｖであっても三相２００Ｖであっても、当該切替式水圧マッサージ機１を使用できる。
【実施例３】
【００３９】
図５に示す実施例３は、実施例１に係る相切替スイッチ３６及び相切替回路３７を、相判別回路４１及び相切替回路３７に代えたものである。
実施例３に係る切替部３では、相判別回路４１の出力信号が相切替回路３７に入力される。
相判別回路４１は、商用電源３１が単相２００Ｖか三相２００Ｖかの何れであるかを判別しその判別結果を出力するものである。
相切替回路３７は、相判別回路４１の出力に基づいて、マッサージ機２を単相２００Ｖ用にするか三相２００Ｖ用にするかの切り替えを行なう。
相切替回路３７の第１の出力（＝電力）はインバーター３０へ至り、第２出力（＝相に係る信号）はシステム制御部３２へ至る。
【００４０】
実施例３に係る切替部３では、商用電源３１が単相２００Ｖか三相２００Ｖかを判別し自動的に相切り替えが行なわれる。それ故に、操作者が相切り替え操作をする必要はない。
【産業上の利用可能性】
【００４１】
水槽４と、水槽４の上面の開口部１１を覆う膜５と、水槽４内に有って水を噴射させるノズル６と、ノズル６に加圧水を供給するポンプ１７とを設け、ノズル６から噴射する水で膜５を介して人体をマッサージする水圧マッサージ機２において、水圧マッサージ機２を三相２００Ｖ用とするか単相２００Ｖ用とするかを切り替える切替部３が設けられた構成とすることによって、異なる商用電源３１のいずれにも対応できて便利な切替式水圧マッサージ機１に適用できる。
【図面の簡単な説明】
【００４２】
【図１】本発明の実施例１の電気的構成を示すブロック図である。
【図２】本発明の実施例１の外観図である。
【図３】本発明の実施例１の内部を透視した右側面図である。
【図４】本発明の実施例２の電気的構成を示すブロック図である。
【図５】本発明の実施例３の電気的構成を示すブロック図である。
【符号の説明】
【００４３】
１  切替式水圧マッサージ機
２  水圧マッサージ機
３  切替部
４  水槽
５  膜
６  ノズル
１１  開口部
１７  ポンプ
３０  インバーター
３１  商用電源
３２  システム制御部
３６  相切替スイッチ
３７  相切替回路
４１  相判別回路
【図１】
2007313153.tif 000003
【図２】
2007313153.tif 000004
【図３】
2007313153.tif 000005
【図４】
2007313153.tif 000006
【図５】
2007313153.tif 000007